(57)【特許請求の範囲】
【請求項１】
光伝送システム集積回路が、光伝送ネットワーク（ＯＴＮ）において光伝送されるフレームを２つに分割する方法であって、前記フレームの各々は、オーバーヘッド（ＯＨ）領域、ペイロード領域及びフォワードエラーコレクション（ＦＥＣ）領域を有し、
前記方法は、
連続する第１のＦＥＣ領域、第２のＯＨ領域およびペイロード領域の組みについて、前記第１のフレームのＦＥＣ領域と前記第２のフレームのＯＨ領域及びペイロード領域とを入れ替える入替ステップと、
ＦＥＣ領域とＯＨ領域及びペイロード領域とが入れ替えられたデータ列の先頭から順に所定バイト毎に分割した複数のセグメントを、奇数番目のセグメント及び偶数番目のセグメントに分割して第１のサブフレーム及び第２のサブフレームとする、分割ステップと
を含むことを特徴とするデータ分割方法。
【請求項２】
前記第１のサブフレーム及び前記第２のサブフレームの各々において、分割された前記第１のフレームのＦＥＣ領域が分割された前記第２のフレームのＦＥＣ領域に隣接して配置される、ことを特徴とする請求項１に記載のデータ分割方法。
【請求項３】
前記第１のサブフレーム及び前記第２のサブフレームの各々において、分割された前記第１のフレームのＦＥＣ領域および分割された前記第２のフレームのＦＥＣ領域の占有割合が、前記フレームにおける前記ＦＥＣ領域の占有割合と等しい、ことを特徴とする請求項２に記載のデータ分割方法。
【発明の詳細な説明】
【技術分野】
【０００１】
本発明は、フレームデータ分割方法に関し、より詳細には、２つのサブキャリアに分割して伝送するデジタルコヒーレント光伝送システムにおいて、フレーム構成を維持して、フレームデータを分割するフレームデータ分割方法に関する。
【背景技術】
【０００２】
従来、光伝送システムを大容量化することが可能なＷＤＭ（波長分割多重）技術の研究開発が行われている。また、ＷＤＭ技術と同様に光伝送システムを大容量化することが可能な技術として、コヒーレント通信技術も研究開発も盛んに行われている。光伝送システムの大容量化と平行して、ＬＡＮ等で通信されるクライアントデータのビットレートも大容量化している。今日では、大容量化したクライアントデータ（例えば、１００Ｇｂｐs）を光伝送システムのライン信号に直接収容して伝送したいというニーズも高まっており、これを実現すべく研究も盛んに行われている。
【０００３】
図４は、複数サブキャリアを用いてクライアントデータを伝送する光伝送システム集積回路（ＬＳＩ）の概略構成図である。図４の光伝送システムＬＳＩ（１０）は、送信用と受信用に１００Ｇｂｐｓ高速Ｉ／Ｆ（１２，２２）をそれぞれ１つずつ備える。これらの１００Ｇｂｐｓ高速Ｉ／Ｆを介して、クライアントの機器（例えば、ルータ）と光伝送システムＬＳＩ（１０）との間で１００Ｇｂｐｓのクライアント信号の入出力が行われる。
【０００４】
図４におい光変調器／光源１５０は、光源とＩＱ変調器の組を２つ構え、ＩＱ変調器からの出力を偏波多重して伝送路へ出力する。受光器１８０は、光ファイバ伝送路から入射する光（対向する光変調器／光源で偏波多重された伝送路を伝播した光）を光電変換して出力する。
【０００５】
１００Ｇ用シンボルマッピング部１４は、１００Ｇｂｐｓ高速Ｉ／Ｆ（１２）から入力された１００Ｇｂｐｓのクライアント信号を１００Ｇｂｐｓの光伝送用の伝送フレーム（例えば、ＯＴＵ４フレーム（１１２Ｇｂｐｓ））に収容し、クライアント信号が２ビット毎にマッピングされる（割り当てられる）ＱＰＳＫ変調のシンボルを決定し、決定したシンボルに相当する振幅と位相（角度）を出力する。
【０００６】
デジタルコヒーレント信号処理部１６は、１００Ｇ用シンボルマッピング部１４からのシンボルに基づき、変調器／光源１５０へ供給される変調信号を生成して出力する。
【０００７】
デジタルコヒーレント信号処理部２６は、受光器１８０からの信号に基づいて、歪補償、クロック抽出、位相推定、及びシンボル識別などのデジタル信号処理を行い、識別されたシンボルを出力する。
【０００８】
１００Ｇ用シンボルデマッピング部２４は、デジタルコヒーレント信号処理部２６から出力されたシンボルをデマッピングしてビット値を出力する（シンボルに割り当てられたビット値を決定して出力する）。詳細には、１００Ｇ用シンボルデマッピング部２４において、デマッピングされたビット値は、光伝送用の伝送フレーム（上記例では、ＯＴＵ４フレーム）を構成するビット値であり、伝送フレーム内のクライアント信号に相当するビット値が出力される。
【０００９】
１００Ｇｂｐｓ高速Ｉ／Ｆ（２２）は、１００Ｇ用シンボルデマッピング部２４からのビット値を、光伝送システムＬＳＩ（１０）の外に受信したクライアント信号として出力するために用いられる。
【発明の概要】
【発明が解決しようとする課題】
【００１０】
しかしながら、光伝送システムのライン信号のビットレートは、光ファイバ伝送路における伝送特性や変調方式に起因して制限される場合があり、クライアント信号を収容した伝送フレームのすべてを光伝送システムのライン信号に直接収容しきれない場合がある。したがって、伝送フレームを分割して伝送したいというニーズが存在する。
【００１１】
本発明は、このような問題に鑑みてなされたもので、その目的とするところは、フレーム構成を維持して、デジタルコヒーレント光伝送システムにおける２つのサブキャリアを用いて伝送できるように、フレームデータを分割する方法を提供する。
【課題を解決するための手段】
【００１２】
このような目的を達成するために、本発明の第１の態様は、光伝送システム集積回路がデータを分割するデータ分割方法である。このデータ分割方法は、光伝送ネットワーク（ＯＴＮ）において光伝送される、各々がオーバーヘッド（ＯＨ）領域、ペイロード領域及びフォワードエラーコレクション（ＦＥＣ）領域を有するフレームを、２つに分割する方法であって、連続する第１のＦＥＣ領域と第２のＦＥＣ領域の組みについて、第１のフレームのＦＥＣ領域と第２のフレームのＯＨ領域及びペイロード領域とを入れ替える入替ステップを含む。また、本方法は、入替ステップの後の連続する第１のＦＥＣ領域と第２のＦＥＣ領域の先頭から順に所定バイト毎に分割した複数のセグメントを、奇数番目のセグメント及び偶数番目のセグメントに分割して第１のサブフレーム及び第２のサブフレームとする、分割ステップとを含む。
【００１３】
一実施形態では、入替ステップの前のフレームは、ＯＴＵ４フレームとすることができる。入替ステップの後の第１のサブフレーム及び第２のサブフレームの各々において、第１のＦＥＣ領域が第２のＦＥＣ領域に隣接して配置される。また、入替ステップの後の第１のサブフレーム及び第２のサブフレームの各々において、第１のＦＥＣ領域および第２のＦＥＣ領域の占有割合が、入替ステップの前の１つのフレームにおけるＦＥＣ領域の占有割合と等しい。
【発明の効果】
【００１４】
以上説明したように、本発明によれば、フレーム構成を維持して、デジタルコヒーレント光伝送システムにおける２つのサブキャリアを用いて伝送できるように、フレームデータを分割する方法を提供することが可能となる。
【図面の簡単な説明】
【００１５】
【図１】本発明の一実施形態のフレームデータ分割方法を実装可能な光伝送システム集積回路を用いた光伝送システムを示す構成例を示す図である。
【図２】本発明の一実施形態に係るフレームデータ分割方法を説明するための参考図である。
【図３】本発明の一実施形態に係るフレームデータ分割方法を説明するための図である。
【図４】複数サブキャリアを用いてクライアントデータを伝送する光伝送システム集積回路の概略構成図である。
【発明を実施するための形態】
【００１６】
以下、図面を参照しながら本発明の実施形態について詳細に説明する。図面において同一または類似する符号は、同一または類似する要素を示す。したがって、同一または類似する要素についての繰り返しの説明は省略する。以下の説明では、１００Ｇｂｐｓのクライアント信号を送信側のクライアント機器から受信側のクライアント機器へ伝送する光伝送システムにおいて、１００Ｇｂｐｓのクライアント信号を収容したフレームを２つの信号（本明細書において「送信信号」ともいう。）に分離して、それぞれλ１およびλ２の波長帯域のサブキャリア（本明細書において「波長チャネル」とも言う。）を用いてコヒーレント通信方式でそれぞれ伝送する例を説明する。しかしながら、本願発明は、このような具体的な数値例に限定されるものではなく、一般性を失うことは他の数値においても実施することもできることは言うまでもない。
【００１７】
はじめに、図１を参照して、本発明の一実施形態に係るフレームデータ分割方法を実装可能な光伝送システム集積回路を用いた光伝送システムの例を説明する。図１の光伝送システムにおいて、光伝送システム集積回路（１００Ｔ）は送信側のクライアント機器（例えば、ルータ）との間でクラアント信号の入出力を行うＬＳＩであり、光伝送システム集積回路（１００Ｒ）は受信側のクライアント機器との間でクラアント信号の入出力を行うＬＳＩである。
【００１８】
光伝送システムＬＳＩ（第１の光伝送システムＬＳＩ（１００Ｔ−１））は、クライアント信号を入力する１００Ｇｂｐｓ高速Ｉ／Ｆ（１０２）と、１００Ｇｂｐｓのクライアント信号を収容したフレーム（ＯＴＵ４、単に送信信号ともいう。）を２つの送信信号（本願においてサブフレームともいう。）に分離する５０Ｇ分離部１０４と、一方の送信信号（第１の送信信号（第１のサブフレーム））に対してデジタルコヒーレント処理を行うデジタルコヒーレント信号処理部１０６−１と、他の光伝送システムＬＳＩ（第２の光伝送システムＬＳＩ（１００Ｔ−２））との間で他方の送信信号（第２の送信信号（第２のサブフレーム））を通信するチップ間転送処理部１０８−１とを備える。
【００１９】
光伝送システムＬＳＩ（１００Ｔ−１）は、５０Ｇ分離部１０４とデジタルコヒーレント信号処理部１０６−１との間に、第１の送信信号のビットを変調方式（ＢＰＳＫ）のシンボルにマッピングする（割り当てる）５０Ｇマッピング回路（不図示）が備えられている。
【００２０】
また、光伝送システムＬＳＩ（１００Ｔ−１）は、１００Ｇｂｐｓ高速ＩＦ１０２とデジタルコヒーレント信号処理部１０６−１との間に、１００Ｇｂｐｓのクライアント信号を収容したフレームのビットを変調方式（ＱＰＳＫ）のシンボルにマッピングする（割り当てる）１００Ｇマッピング回路（不図示）を備えるとともに、デジタルコヒーレント信号処理部１０６−１への入力を５０Ｇマッピング回路（不図示）と１００Ｇマッピング回路（不図示）との間で切り替えるセレクタ（不図示）をさらに備えても良い。これにより、１００Ｇｂｐｓの光伝送が可能な場合には、１００Ｇｂｐｓのクライアント信号を収容したフレーム（送信信号）のビットがマッピングされたＱＰＳＫ変調のシンボルがデジタルコヒーレント信号処理部１０６−１へ供給され、１００Ｇｂｐｓの光伝送が不可能な場合には、１００Ｇｂｐｓのクライアント信号を収容したフレームから分割された第１の送信信号がマッピングされたＢＰＳＫ変調のシンボルがデジタルコヒーレント信号処理部１０６−１へ供給されるようにすることができ、光伝送システムＬＳＩ（１００Ｔ−１）の適用性を高めることができる。
【００２１】
デジタルコヒーレント信号処理部１０６−１は、送信信号（フレーム）または第１の送信信号（第１のサブフレーム）に対してデジタルコヒーレント処理を行うものであり、変調方式にしたがって変調信号（例えば、振幅と位相）に対してデジタルコヒーレント信号処理を実行し出力する。デジタルコヒーレント信号処理部１０６−１からの変調信号は、光変調器／光源１５０−１へ供給される。これにより、１００Ｇｂｐｓのクライアント信号を収容したフレーム（送信信号）または当該フレームから分離された第１の送信信号は、光変調器／光源１５０−１からのλ１の波長帯域のサブキャリア（波長チャネル）により伝送される。
【００２２】
チップ間転送処理部１０８−１は、クライアント信号を収容したフレーム（送信信号）から分離された他方の送信信号（第２の送信信号（第２のサブフレーム））を光伝送システムＬＳＩ（１００Ｔ−２）との間で通信する際に必要となる、第２の送信信号に対するレーン化処理、誤り訂正処理、フレーム化処理等を行う。
【００２３】
光伝送システムＬＳＩ（１００Ｔ−２）は、チップ間転送処理部１０８−２と、デジタルコヒーレント信号処理部１０６−２とを備える。光伝送システムＬＳＩ（１００Ｔ−２）は、チップ間転送処理部１０８−２とデジタルコヒーレント処理を行うデジタルコヒーレント信号処理部１０６−２との間に、第２の送信信号（ＯＴＵ４フレームから分離された信号）のビットを変調方式（ＢＰＳＫ）のシンボルにマッピングする（割り当てる）５０Ｇマッピング回路（不図示）が備えられている。
【００２４】
チップ間転送処理部１０８−２は、チップ間転送処理部１０８−１と対向し、第２の送信信号を復号する処理を行う。
【００２５】
デジタルコヒーレント信号処理部１０６−２は、デジタルコヒーレント信号処理部１０６−１と同様に、第２の送信信号（第２のサブフレーム）に対応する変調信号（例えば、振幅と位相）に対してデジタルコヒーレント信号処理を実行し出力する。デジタルコヒーレント信号処理部１０６−２からの変調信号は、光変調器／光源１５０−２へ供給される。これにより、第２の送信信号は、光変調器／光源１５０−２からのλ２の波長帯域のサブキャリア（波長チャネル）により伝送される。
【００２６】
λ１の波長チャネルとλ２の波長チャネルは、波長多重装置１６０で合波され波長多重信号として波長分離装置１７０まで光ファイバを伝播する。λ１の波長チャネルは、受光器１８０−２で光電変換され、光伝送システムＬＳＩ（１００Ｒ−２）へ入力される。λ２の波長チャネルは、受光器１８０−２で光電変換され、光伝送システムＬＳＩ（１００Ｒ−１）へ入力される。
【００２７】
光伝送システムＬＳＩ（１００Ｒ−１）は、デジタルコヒーレント信号処理部１２６−１と、５０Ｇ多重部（５０Ｇ統合部）１２４と、チップ間転送処理部１２８−１と、１００Ｇｂｐｓ高速Ｉ／Ｆ（１２２）とを備える。また、光伝送システムＬＳＩ（１００Ｒ−１）には、デジタルコヒーレント信号処理部１２６−１の後段に５０Ｇデマッピング回路（不図示）を備え、５０Ｇ多重部１２４の前段に５０Ｇデマッピング回路の出力を格納するデスキューバッファ１２５を備える。
【００２８】
デジタルコヒーレント信号処理部１２６−１は、受光器１８０−１からの信号に基づいて、歪補償、クロック抽出、位相推定、及びシンボル識別などのデジタル信号処理を行い、識別されたシンボルを出力する。識別されたシンボルは、５０Ｇデマッピング回路（不図示）において受信信号（第２の送信信号に対応する第２の受信信号）のビットにデマッピングされ（復号され）デスキューバッファ１２５に一時格納され、光伝送システムＬＳＩ（１００Ｒ−２）のデジタルコヒーレント信号処理部１２６−２において識別されたシンボルからデマッピングされた受信信号（第１の送信信号に対応する第１の受信信号）のビットとのタイミングが調整される。
【００２９】
５０Ｇ多重部１２４は、第１の受信信号と第２の受信信号とを多重（合成）して１００Ｇｂｐｓのクライアント信号を収容したフレームを再生する。再生された１００Ｇｂｐｓのフレームから抽出されたクライアント信号は、１００Ｇｂｐｓ高速ＩＦ（１２２）から受信側のクライアント装置へ出力される。
【００３０】
光伝送システムＬＳＩ（１００Ｒ−２）は、デジタルコヒーレント信号処理部１２６−２と、チップ間転送処理部１２８−２とを備える。また、光伝送システムＬＳＩ（１００Ｒ−２）には、デジタルコヒーレント信号処理部１２６−２とチップ間転送処理部１２８−２との間に５０Ｇデマッピング回路（不図示）を備える。
【００３１】
デジタルコヒーレント信号処理部１２６−２は、デジタルコヒーレント信号処理部１２６−１と同様に受光器１８０−２からの信号に基づいて、歪補償、クロック抽出、位相推定、及びシンボル識別などのデジタル信号処理を行い、識別されたシンボルを出力する。識別されたシンボルは、５０Ｇデマッピング回路（不図示）において受信信号（第１の送信信号に対応する第１の受信信号）のビットにデマッピングされる（復号される）。
【００３２】
チップ間転送処理部１２８−１およびチップ間転送処理部１２８−２は、光伝送システムＬＳＩ（１００Ｒ−１）と光伝送システムＬＳＩ（１００Ｒ−２）の間で通信する際に必要となる、第２の受信信号に対するレーン化処理、誤り訂正処理、フレーム化処理等を行う。
【００３３】
光伝送システムＬＳＩ（１００Ｒ−１）は、光伝送システムＬＳＩ（１００Ｔ−１）と同様に、１００Ｇｂｐｓ高速ＩＦ１２２とデジタルコヒーレント信号処理部１２６−１との間に、変調方式（ＱＰＳＫ）のシンボルを１００Ｇｂｐｓのクライアント信号を収容した受信信号のビットにデマッピングする（復号する）１００Ｇデマッピング回路（不図示）を備えるとともに、デジタルコヒーレント信号処理部１２６−１からの出力を５０Ｇデマッピング回路（不図示）と１００Ｇデマッピング回路（不図示）との間で切り替えるセレクタ（不図示）をさらに備えても良い。これにより、１００Ｇｂｐｓの光伝送が可能な場合には、デジタルコヒーレント信号処理部１２６−１からＱＰＳＫ変調のシンボルが１００Ｇデマッピング回路へ供給され、１００Ｇｂｐｓの光伝送が不可能な場合には、デジタルコヒーレント信号処理部１２６−１からＢＰＳＫ変調のシンボルが５０Ｇデマッピング回路（不図示）へ供給されるようにすることができ、光伝送システムＬＳＩ（１００Ｒ−１）の適用性を高めることができる。同時に、デジタルコヒーレント信号処理部１２６−１を共有することにより、ＬＳＩ全体に対する占有割合が比較的高いデジタルコヒーレント信号処理部を複数用いる場合に比べて、光伝送システムＬＳＩ（１００Ｒ−１）の回路規模を小さくすることできる。
【００３４】
上述した図１の光伝送システムにおいては、第１の受信信号は受信側のチップ間転送処理部において、及び第２の送信信号は送信側のチップ間転送処理部において、レーン化処理、誤り訂正処理、フレーム化処理がそれぞれ行われる。このためため、第１の送信信号及び第１の受信信号の双方を送信側及び受信側のチップ間転送処理部において各処理を行う場合に比べて、光伝送システムＬＳＩ（１００Ｒ−１）のデスキューバッファを小さくすることができる。ただし、第１の受信信号および第２の受信信号のどちらがより大きな遅延を有して到着するか分からないので、チップ間転送処理部１２８−１と５０Ｇ多重部１２４との間にさらにデスキューバッファ（不図示）を備えてもよい。
【００３５】
次に、図２及び３を参照して、本発明の一実施形態に係るフレームデータ分割方法を説明する。上述した光伝送システムにおける光伝送システム集積回路（ＬＳＩ）１００Ｔの５０Ｇ分離部１０４に実装して、クライアント信号を収容したフレーム（ＯＴＵ４）を第１及び第２の送信信号に分離する際に実装することができる。５０Ｇ分離部１０４へ入力される１００Ｇｂｐｓの各フレーム（ＯＴＵ４フレーム）は、オーバーヘッド（ＯＨ）領域、ペイロード領域、及びエラー訂正符号（ＦＥＣ）領域を有する。クライアント信号はペイロード領域に格納さている。各フレームのバイト長は、１６×２５５×４バイトである。
【００３６】
図２（ａ）は、５０Ｇ分離部１０４へ入力された、各々がクライアント信号を収容した１００Ｇｂｐｓのフレーム（ＯＴＵ４フレーム）の一部である１６×２５５バイト長の１／４フレーム（ＯＨ領域を含む部分）を示す。以下の説明は、簡単化のため、図２（ａ）および図３（ａ）に示す１／４フレームを用いる。
【００３７】
図２（ａ）に示すような順次入力される各フレームを、１６バイト毎に２５５個のセグメントに分割し、図２（ｂ１）に示すような奇数番目のセグメントの集合（第1の送信信号（第１のサブフレーム））と、図２（ｂ２）に示すような偶数番目のセグメントの集合（第２の送信信号（第２のサブフレーム））とに分離することが考えられる。
【００３８】
図２の場合、ＦＥＣ領域が出現する周期が１６バイトの偶数倍に定まらないため、１つのフレームに関する第１の送信信号と第２の送信信号とではＦＥＣ領域の占有比率が異なり（第１の送信信号と第２の送信信号とのバイト長が異なりため）、それぞれにおいてＦＥＣ領域が出現する位置（間隔あるいは周期）が一定ではなくなる。
【００３９】
この結果、図２の場合、第１の送信信号や第２の送信信号のＦＥＣ領域を処理するために、分離前のフレーム（ＯＴＵ４）のＦＥＣ領域を処理するためのＦＥＣ処理回路を共有（再利用）することができない。したがって、第1の送信信号や第２の送信信号におけるＦＥＣ領域を処理する回路を別途追加する必要があり、光伝送システムＬＳＩ（１００Ｔ，１００Ｒ）の回路規模が大きくなる。
【００４０】
他方、図３（ａ）に示すような順次入力される２つフレームの組について、図３（ｂ）に示すように、ＦＥＣ領域１と、オーバーヘッド領域２及びペイロード領域２とを入れ替え、１６バイト毎に２×２５５個のセグメントに分割し、図３（ｃ１）に示すような奇数番目のセグメントの集合（第1の送信信号（第１のサブフレーム））と、図３（ｃ２）に示すような偶数番目のセグメントの集合（第２の送信信号（第２のサブフレーム））とに分離することが考えられる。
【００４１】
図３の場合、２つのフレームに関する第１の送信信号（図３（ｃ１））と第２の送信信号（図３（ｃ２））とではＦＥＣ領域の占有比率が同一となり、かつ１つのＯＴＵ４フレームにおけるＦＥＣ領域の占有比率とも同一となる。さらに、第１の送信信号（図３（ｃ１））及び第２の送信信号（図３（ｃ２））におけるＦＥＣ領域の位置および大きさもまた、１つのＯＴＵ４フレームにおけるＦＥＣ領域の位置および大きさと同一となる。
【００４２】
したがって、図３の場合、第１の送信信号や第２の送信信号のＦＥＣ領域を処理するために、分離前のフレーム（ＯＴＵ４）のＦＥＣ領域を処理するためのＦＥＣ処理回路の処理回路を共有（再利用）することができる。したがって、第1の送信信号や第２の送信信号におけるＦＥＣ領域を処理する回路を別途追加する必要が無いので、図２の場合と比べて、光伝送システムＬＳＩ（１００Ｔ，１００Ｒ）の回路規模が小さくできる。
【００４３】
以上、本発明の実施形態を説明したが、本フレームデータ分割方法は、入力クライアント信号が複数ある場合に、１つまたは複数のフレームをそれぞれ分割するのに用いても良く、分割したセグメントの分配は、第１の送信信号と第２の送信信号にフレーム同期パターンが交互に配置されるようにフレーム毎に偶数と奇数のセグメント選択を切り替えても良い。
【符号の説明】
【００４４】
１０  光伝送システム集積回路（ＬＳＩ）
１２  １００Ｇｂｐｓ高速インターフェース（Ｉ／Ｆ）
１４  １００Ｇ用シンボルマッピング部
１６  デジタルコヒーレント信号処理部
２２  光伝送システム集積回路（ＬＳＩ）
２４  １００Ｇ用シンボルデマッピング部
２６  デジタルコヒーレント信号処理部
１５０  光変調器／光源
１６０  波長多重部
１７０  波長分離部
１８０  受光器
１００Ｔ，１００Ｒ  光伝送システム集積回路（ＬＳＩ）
１０２、１２２  １００Ｇｂｐｓ高速インターフェース（Ｉ／Ｆ）
１０４  ５０Ｇ分離部
１０６，１２６  デジタルコヒーレント信号処理部
１０８，１２８  チップ間転送処理部
１２４  ５０Ｇ多重部（５０Ｇ統合部）
１２５  デスキューバッファ
【要約】
【課題】フレーム構成を維持して、デジタルコヒーレント光伝送システムにおける２つのサブキャリアを用いて伝送できるように、フレームデータを分割する方法を提供する。
【解決手段】ＯＴＮにおいて光伝送されるＯＴＵフレームを２つに分割する方法であって、連続する第１のＯＴＵフレームと第２のＯＴＵフレームの組みについて、第１のＯＴＵフレームのＦＥＣ領域と第２のＯＴＵフレームのＯＨ領域及びペイロード領域とを入れ替えて、第１のＯＴＵフレームのＦＥＣ領域を第２のＯＴＵフレームのＦＥＣ領域に隣接して配置した後に、先頭から順に所定バイト毎に分割した複数のセグメントを、奇数番目のセグメントからなる第１のサブフレームと偶数番目のセグメントからなる第２のサブフレームとに分割する。各サブフレームにおけるＦＥＣ領域の占有割合は、１つのＯＴＵフレームにおけるＦＥＣ領域の占有割合と等しくなり、ＦＥＣ処理回路の共有が可能となる。
【選択図】図３【図１】
0005856660.tif 000002
【図２】
0005856660.tif 000003
【図３】
0005856660.tif 000004
【図４】
0005856660.tif 000005